(57)【要約】【課題】収納した個別包装物品に由来する廃棄物の収納部を設けた個別包装物品用紙箱において、廃棄物投入口が使いやすい位置に設けられ、しかもそれが美観や衛生イメージを損なわないようにする。【解決手段】個別包装物品用紙箱１の開封ライン３０を破断し、リッド部３１を引き上げると、個別包装物品５０を複数個収納した物品用コンパートメント４０が露出する。物品用コンパートメント４０に隣接して廃棄物用コンパートメント４１が区画される。廃棄物用コンパートメント４１の廃棄物投入口３４は、リッド部３１によって覆い隠される箇所に設けられている。【選択図】図２
2008087795.tif 000002
【特許請求の範囲】
【請求項１】
個別包装された物品を複数個収納し、上面のリッド部を引き上げると前記物品を収納した物品用コンパートメントが露出する個別包装物品用紙箱において、
前記物品用コンパートメントに隣接して廃棄物用コンパートメントを区画し、この廃棄物用コンパートメントには、前記リッド部によって覆い隠される箇所に廃棄物投入口を設けたことを特徴とする個別包装物品用紙箱。
【請求項２】
前記リッド部の閉蓋状態維持装置が設けられていることを特徴とする請求項１に記載の個別包装物品用紙箱。
【請求項３】
ブランクシートの打ち抜き加工により前記廃棄物投入口となる開口を形成したことを特徴とする請求項１または２に記載の個別包装物品用紙箱。
【請求項４】
前記廃棄物投入口となるべき箇所に破断線を入れ、破断線の破断により開口を形成することを特徴とする請求項１または２に記載の個別包装物品用紙箱。
【請求項５】
ブランクシートにスリットを入れて前記廃棄物投入口となるフラップ付き開口を形成したことを特徴とする請求項１または２に記載の個別包装物品用紙箱。
【請求項６】
ボトム部と、前記ボトム部の対向辺に連接されたフロント部及びリア部と、前記リア部に連接されたトップ部と、を含むブランクシートを起函し糊付けして形成されるものであり、前記トップ部の少なくとも一部に前記リッド部が形成されるとともに、前記フロント部に連接された水平短冊及び垂直短冊により前記廃棄物用コンパートメントが形成されることを特徴とする請求項１から５のいずれか１項に記載の個別包装物品用紙箱。
【請求項７】
前記垂直短冊の下端を前記ボトム部に糊付けしたことを特徴とする請求項６に記載の個別包装物品用紙箱。
【請求項８】
前記垂直短冊の左右両端に、前記フロント部の裏面に当接して前記物品用コンパートメント側からの圧力を支える空間維持用フラップを形成したことを特徴とする請求項６に記載の個別包装物品用紙箱。
【発明の詳細な説明】
【技術分野】
【０００１】
本発明は個別包装された物品を複数個収納する個別包装物品用紙箱に関する。
【背景技術】
【０００２】
個別包装された物品を紙箱に複数個収納し、使用者が物品を１個ずつ取り出すタイプの物品パッケージは、特に菓子類のパッケージとして日常なじみの深いものである。この場合、物品を取り出した後の個別包装は廃棄物になる。また、物品がチューインガムであれば、その噛みかすも廃棄物になる。これらの廃棄物を散らかすことのないよう、その収納部を設けた個別包装物品用紙箱が特許文献１に記載されている。また、特許文献２、３には、個別包装物品用ではなくティッシュペーパー用の紙箱であるが、使用済みペーパーの収納部を設けたものが記載されている。
【特許文献１】特開平６−１３５４３６号公報
【特許文献２】特開昭５３−１１３６８１号公報
【特許文献３】実開平５−６１０８１号公報
【発明の開示】
【発明が解決しようとする課題】
【０００３】
やや大きめの個別包装物品用紙箱であって、物品を取り出すための開口が上面にあるものでは、載置面（テーブル、デスク、床、自動車のダッシュボードなどの各上面）に紙箱を置いて物品を取り出すというのが自然な使い方になる。特許文献１、３に記載された紙箱は、内容物を取り出す開口を備えた側面と反対側の側面に廃棄物投入口が設けられている。この構造を載置面に載置するタイプの個別包装物品用紙箱に適用すると、紙箱の底面に廃棄物投入口が来ることになり、非常に使いにくいものになってしまう。廃棄物投入口の存在を認識できないことすらあり得る。
【０００４】
特許文献２に記載された紙箱は、廃棄物投入口が前面に設けられているので、特許文献１、３記載の構造のような問題はない。しかしながら、廃棄物投入口が紙箱の正面に堂々と露出しているというのは、個別包装物品用紙箱の美観及び衛生イメージを損なうことになり、好ましくない。
【０００５】
本発明は上記の点に鑑みなされたものであり、収納した個別包装物品に由来する廃棄物の収納部を設けた個別包装物品用紙箱において、廃棄物投入口が使いやすい位置に設けられ、しかもそれが美観や衛生イメージを損なわないようにすることを目的とする。
【課題を解決するための手段】
【０００６】
（１）上記目的を達成するために本発明は、個別包装された物品を複数個収納し、上面のリッド部を引き上げると前記物品を収納した物品用コンパートメントが露出する個別包装物品用紙箱において、前記物品用コンパートメントに隣接して廃棄物用コンパートメントを区画し、この廃棄物用コンパートメントには、前記リッド部によって覆い隠される箇所に廃棄物投入口を設けたことを特徴としている。
【０００７】
この構成によると、個別包装や菓子の食べかすなどの廃棄物を、その物品を取り出した紙箱に直ちに収納でき、廃棄物で周囲を汚すこともなく、廃棄物の最終処分も楽である。そして廃棄物投入口は物品取り出し用のリッド部によって覆い隠される箇所に設けられているから、使い勝手が良い。またリッド部を閉じておけば美観や衛生イメージを損なうこともない。
【０００８】
（２）また本発明は、上記構成の個別包装物品用紙箱において、前記リッド部の閉蓋状態維持装置が設けられていることを特徴としている。
【０００９】
この構成によると、リッド部が自然に開かないようにしておけるので、廃棄物投入口から廃棄物がこぼれるのを防止できる。また廃棄物投入口を目立たなくしておける。
【００１０】
（３）また本発明は、上記構成の個別包装物品用紙箱において、ブランクシートの打ち抜き加工により前記廃棄物投入口となる開口を形成したことを特徴としている。
【００１１】
この構成によると、廃棄物投入口を簡単に形成することができる。
【００１２】
（４）また本発明は、上記構成の個別包装物品用紙箱において、前記廃棄物投入口となるべき箇所に破断線を入れ、破断線の破断により開口を形成することを特徴としている。
【００１３】
この構成によると、使用者が必要を感じたときに廃棄物投入口を開ければよく、それまでは廃棄物投入口が見えない、美観に優れた状態で物品を消費することができる。
【００１４】
（５）また本発明は、上記構成の個別包装物品用紙箱において、ブランクシートにスリットを入れて前記廃棄物投入口となるフラップ付き開口を形成したことを特徴としている。
【００１５】
この構成によると、廃棄物投入口を形成することによりゴミが発生するということがない。また廃棄物用コンパートメントの内部を見えなくするとともに、そこから廃棄物が漏れるのを防ぐことができる。
【００１６】
（６）また本発明は、上記構成の個別包装物品用紙箱において、ボトム部と、前記ボトム部の対向辺に連接されたフロント部及びリア部と、前記リア部に連接されたトップ部と、を含むブランクシートを起函し糊付けして形成されるものであり、前記トップ部の少なくとも一部に前記リッド部が形成されるとともに、前記フロント部に連接された水平短冊及び垂直短冊により前記廃棄物用コンパートメントが形成されることを特徴としている。
【００１７】
この構成によると、単一のブランクシートにより廃棄物用コンパートメントを形成することができる。
【００１８】
（７）また本発明は、上記構成の個別包装物品用紙箱において、前記垂直短冊の下端を前記ボトム部に糊付けしたことを特徴としている。
【００１９】
この構成によると、廃棄物用コンパートメント、ひいては個別包装物品用紙箱全体を強度の高いものとすることができる。
【００２０】
（８）また本発明は、上記構成の個別包装物品用紙箱において、前記垂直短冊の左右両端に、前記フロント部の裏面に当接して前記物品用コンパートメント側からの圧力を支える空間維持用フラップを形成したことを特徴としている。
【００２１】
この構成によると、垂直短冊の下端を糊付けする手間が省ける。また、物品用コンパートメントの中身が減り、廃棄物用コンパートメントの中身が増えれば、垂直短冊の下端が物品用コンパートメントの方へ開き、廃棄物用コンパートメントの容積が増える。このため、より多くの廃棄物を収納することが可能になる。
【発明の効果】
【００２２】
本発明によると、個別包装や菓子の食べかすなどの廃棄物を、その物品を取り出した紙箱に直ちに収納でき、廃棄物で周囲を汚すこともなく、廃棄物の最終処分も楽である。廃棄物投入口は物品取り出し用のリッド部によって覆い隠される箇所に設けられているから使い勝手が良く、リッド部を閉じておけば美観や衛生イメージを損なうこともない。
【発明を実施するための最良の形態】
【００２３】
以下、本発明の一実施形態を図１−５に基づき説明する。図１−３は個別包装物品用紙箱の斜視図にして、図１は密封状態、図２は開封状態、図３は開封後リッド部を再び閉じた状態を示す。図４は概略断面図、図５はブランクシートの展開図である。
【００２４】
図１の個別包装物品用紙箱１は、図５に示すブランクシート１０を起函し、ホットエアー、ホットメルト接着剤、コールドグルー接着剤などで所定箇所を糊付けして形成される。ちなみに図５に示されているのは個別包装物品用紙箱１の内側になる面である。ブランクシート１０は個別包装物品用紙箱に求められる耐水性、撥水性などの素材特性を備えた印刷済み紙シートを所定の形状に打ち抜き、折り線（点線で表す）や開封用の破断線（破線で表す）、あるいはスリットを入れて形成されるものであり、次の部分からなる。
【００２５】
まずボトム部１１がある。ボトム部１１は矩形であり、その両長辺には同じく矩形の第１フロント部１２とリア部１３が連設されている。リア部１３のボトム部１１から離れた側の長辺にはトップ部１４が連設されている。トップ部１４のリア部１３から離れた側の長辺には第１フロント部１２の前面に重なる第２フロント部１５が連接されている。第１フロント部１２のボトム部１１から離れた側の長辺には水平短冊１６が連接され、水平短冊１６には垂直短冊１７が連接される。垂直短冊１７には糊付け用フラップ１８が連接される。
【００２６】
ボトム部１１の両短辺にはボトムフラップ２０Ｌ、２０Ｒが連設される。同様にリア部１３の両短辺にはサイドフラップ２１Ｌ、２１Ｒが連設され、トップ部の両短辺にはトップフラップ２２Ｌ、２２Ｒが連設され、第２フロント部１５の両短辺にはサイドフラップ２３Ｌ、２３Ｒが連設される。ボトムフラップ２０Ｌ、サイドフラップ２１Ｌ、トップフラップ２２Ｌ、サイドフラップ２３Ｌは図５においていずれも左の方向に延び出し、ボトムフラップ２０Ｒ、サイドフラップ２１Ｒ、トップフラップ２２Ｒ、サイドフラップ２３Ｒは図５においていずれも右の方向に延び出す。
【００２７】
トップ部１４から第２フロント部１５にかけ、ジッパー加工や紙の厚さの半ばまで刃を入れるハーフカット加工により開封ライン３０が形成されている。開封ライン３０を破断すると、トップ部１４とつながった開閉自在なリッド部３１（図２参照）が形成される。リッド部３１は自由端側に幅の狭い差込片３２を有し、第１フロント部１２にはこの差込片３２を受け入れる円弧状のスリット３３が形成されている。水平短冊１６に目を転ずると、そこには廃棄物投入口３４が打ち抜き加工で形成されている。
【００２８】
上記ブランクシート１０において、ボトム部１１に対し第１フロント部１２を折り曲げ、第１フロント部１２に対し水平短冊１６を折り曲げ、水平短冊１６に対し垂直短冊１７を折り曲げ、垂直短冊１７に対し糊付けフラップ１８を折り曲げる。またボトム部１１に対しリア部１３を折り曲げ、リア部１３に対しトップ部１４を折り曲げ、トップ部１４に対し第２フロント部１５を折り曲げる。糊付けフラップ１８とボトム部１１を糊付けし、第２フロント部１５を第１フロント部１２に糊付けする。この時、リッド部３１及び差込片３２が糊付けされないようにする。
【００２９】
上記のように糊付けを行うと、左右両端が開いた個別包装物品用紙箱１の胴部が形成される。胴部の内部には物品用コンパートメント４０と、それに隣接して廃棄物用コンパートメント４１が区画される（図４参照）。物品用コンパートメント４０の中に個別包装物品５０を所定個数収納した後、胴部の左右両端を密封する作業に移る。
【００３０】
まずサイドフラップ２１Ｌ、２１Ｒ、２３Ｌ、２３Ｒを内側に折り込む。その外側にボトムフラップ２０Ｌ、２０Ｒを立てる。さらにその外側にトップフラップ２２Ｌ、２２Ｒを折り重ねる。トップフラップ２２Ｌをボトムフラップ２０Ｌに糊付けし、トップフラップ２２Ｒをボトムフラップ２０Ｒに糊付けすれば、胴部の密封、ひいては個別包装物品用紙箱１の形成は完了する。
【００３１】
個別包装物品用紙箱１は、開封ライン３０を破断してリッド部３１を引き上げることにより、物品用コンパートメント４０を露出させることができる（図２参照）。この状態で個別包装物品５０を取り出す。個別包装物品５０の個別包装材料や、物品が菓子である場合の食べかすなどは廃棄物投入口３４から廃棄物用コンパートメント４１に投入する。これにより、廃棄物で周囲を汚すことはなくなる。
【００３２】
個別包装物品５０を取り出さないときは、図３のようにリッド部３１を閉じ、差込片３２をスリット３３に差し込んで閉蓋状態を保っておくことができる。すなわち差込片３２とスリット３３はリッド部３１の閉蓋状態維持装置を構成する。これにより廃棄物投入口３４はリッド部３１で覆い隠され、美観や衛生イメージを損なうことがなくなる。差込片３２をスリット３３に差し込んでおけばリッド部３１が自然に開くことはないので、廃棄物投入口３４から廃棄物がこぼれるのを防止できるうえ、廃棄物投入口３４を目立たなくしておける。
【００３３】
物品用コンパートメント４０の個別包装物品５０を消費し尽くした後、個別包装物品用紙箱１を焼却処分に回す。廃棄物用コンパートメント４１の中に入っていた廃棄物も一緒に焼却され、処分に手間がかからない。
【００３４】
続いて図６以下の図に基づき他の実施形態を説明する。いずれの実施形態でも、実施形態１と共通の構成要素には第１実施形態で使用した符号をそのまま使用し、説明は省略するものとする。
【００３５】
図６は第２実施形態に係る個別包装物品用紙箱の斜視図であり、開封状態を示す。第２実施形態は廃棄物投入口の形成の仕方に特徴を有する。すなわち第２実施形態では、廃棄物投入口となるべき箇所にハーフカット線よりなる破断線３５が入っている。この部分を押すと破断線３５が破断して開口が開き、その開口が廃棄物投入口となる。この構成によると、使用者が必要を感じたときに廃棄物投入口を開ければよく、それまでは廃棄物投入口３４が見えない、美観に優れた状態で個別包装物品５０を消費することができる。なお図のように破断線の一部を折り線としておけば、廃棄物投入口を開けた後の紙の抜きかすが水平短冊１６から分離せず、それが外部に落下するおそれがない。
【００３６】
図７は第３実施形態に係る個別包装物品用紙箱の斜視図であり、開封状態を示す。第３実施形態も廃棄物投入口の形成の仕方に特徴を有する。すなわち第３実施形態では、ブランクシート１０の段階で水平短冊１６にスリット３６を入れてある。スリット３６は、水平短冊１６の長手方向に平行する形で長めのスリットを形成し、このスリットの両端に、斜めに対称的に延び出す２本の短いスリットを形成し、計４本の短いスリットの端同士を折り線で結んだものである。スリットと折り線の部分の間の部分がフラップを構成する。このフラップを指で押し込むと廃棄物投入口が開く。この構成では、廃棄物投入口を形成することによりゴミが発生するということがない。またフラップの存在により廃棄物用コンパートメント４１の内部が見えにくくなるとともに、そこから廃棄物が漏れることが防がれる。
【００３７】
図８は第４実施形態に係る個別包装物品用紙箱の概略断面図、図９はそのブランクシートの展開図である。第４実施形態では、垂直短冊１７は糊付け用フラップ１８を有していない。その代わり、垂直短冊１７の左右両端には空間維持用フラップ３７Ｌ、３７Ｒが形成されている。
【００３８】
個別包装物品用紙箱１の組み立て状態において、空間維持用フラップ３７Ｌ、３７Ｒは第１フロント部１２の裏面に当接して物品用コンパートメント４０側からの圧力を支える。これにより、垂直短冊１７の下端を糊付けする手間が省ける。また、物品用コンパートメント４０の中身が減り、廃棄物用コンパートメント４１の中身が増えれば、垂直短冊１７の下端が物品用コンパートメント４０の方へ開き、廃棄物用コンパートメント４１の容積が増える。このため、より多くの廃棄物を収納することが可能になる。
【００３９】
第４実施形態の個別包装物品用紙箱１には、第１実施形態と同じ構造の廃棄物投入口３４が形成されているが、これを第２実施形態の破断線３５あるいは第３実施形態のスリット３６に代えることも可能である。
【００４０】
以上本発明の一実施形態につき説明したが、この他、発明の主旨から逸脱しない範囲で種々の改変を加えて実施することができる。
【産業上の利用可能性】
【００４１】
本発明は物品を消費することにより廃棄物が発生する個別包装物品用紙箱に広く利用可能である。
【図面の簡単な説明】
【００４２】
【図１】第１実施形態に係る個別包装物品用紙箱の密封状態における斜視図
【図２】同上個別包装物品用紙箱の開封状態における斜視図
【図３】同上個別包装物品用紙箱の開封後リッド部を再び閉じた状態における斜視図
【図４】同上個別包装物品用紙箱の概略断面図
【図５】同上個別包装物品用紙箱のブランクシートの展開図
【図６】第２実施形態に係る個別包装物品用紙箱の密封状態における斜視図
【図７】第３実施形態に係る個別包装物品用紙箱の密封状態における斜視図
【図８】第４実施形態に係る個別包装物品用紙箱の概略断面図
【図９】第４実施形態に係る個別包装物品用紙箱のブランクシートの展開図
【符号の説明】
【００４３】
１    個別包装物品用紙箱
１０  ブランクシート
１１  ボトム部
１２  第１フロント部
１３  リア部
１４  トップ部
１５  第２フロント部
１６  水平短冊
１７  垂直短冊
１８  糊付け用フラップ
２０Ｌ、２０Ｒ  ボトムフラップ
２１Ｌ、２１Ｒ、２３Ｌ、２３Ｒ  サイドフラップ
２２Ｌ、２２Ｒ  トップフラップ
３０  開封ライン
３１  リッド部
３２  差込片
３３  スリット
３４  廃棄物投入口
３５  破断線
３６  スリット
３７Ｌ、３７Ｒ  空間維持用フラップ
４０  物品用コンパートメント
４１  廃棄物用コンパートメント
５０  個別包装物品
【図１】
2008087795.tif 000003
【図２】
2008087795.tif 000004
【図３】
2008087795.tif 000005
【図４】
2008087795.tif 000006
【図５】
2008087795.tif 000007
【図６】
2008087795.tif 000008
【図７】
2008087795.tif 000009
【図８】
2008087795.tif 000010
【図９】
2008087795.tif 000011